(57)【要約】【課題】別途の受光素子を設ける必要なく、発光部の劣化をモニタすることが一例として挙げられる。【解決手段】発光装置１０は、第１有機ＥＬ素子２００ａと、第２有機ＥＬ素子２００ｂ、第１制御部２１０、および第１検出部２２０を備える。第１制御部２１０は、第１状態と第２状態とを切り替える。第１状態は、第１有機ＥＬ素子２００ａが発光し、かつ第２有機ＥＬ素子２００ｂが消灯している状態である。第２状態は、第１有機ＥＬ素子２００ａおよび第２有機ＥＬ素子２００ｂがいずれも発光している状態である。そして第１検出部２２０は、第１状態において、第２有機ＥＬ素子２００ｂからの電気的な出力を検出する。【選択図】図１
2018040895.tif 000002
【特許請求の範囲】
【請求項１】
第１有機ＥＬ素子及び第２有機ＥＬ素子と、
前記第１有機ＥＬ素子が発光し、かつ前記第２有機ＥＬ素子が消灯している第１状態と、前記第１有機ＥＬ素子および前記第２有機ＥＬ素子がいずれも発光している第２状態とを切り替える第１制御部と、
前記第１状態において、前記第２有機ＥＬ素子からの電気的な出力を検出する第１検出部と、
を備える発光装置。
【請求項２】
請求項１に記載の発光装置において、
前記出力は、前記第１有機ＥＬ素子が発した光の強度に応じて前記第２有機ＥＬ素子に発生した電圧又は電流である発光装置。
【請求項３】
請求項１又は２に記載の発光装置において、
前記第１有機ＥＬ素子及び前記第２有機ＥＬ素子のうち一方が発した光を他方が受光する発光装置。
【請求項４】
請求項１〜３のいずれか一項に記載の発光装置において、
前記第１有機ＥＬ素子は、前記第２有機ＥＬ素子とは発光色が異なる発光装置。
【請求項５】
請求項１〜４のいずれか一項に記載の発光装置において、
前記第１検出部の検出結果に基づき、前記第１有機ＥＬ素子に対する入力電力を制御する第２制御部をさらに備える発光装置。
【請求項６】
請求項５に記載の発光装置において、
前記第２制御部は、前記第１状態での前記第１検出部の検出値が予め定められた基準値より小さくなった場合に、前記第１有機ＥＬ素子に対する前記入力電力を上げる発光装置。
【請求項７】
請求項５に記載の発光装置において、
前記第１制御部は、前記第１状態と、前記第２状態と、前記第１有機ＥＬ素子および前記第２有機ＥＬ素子がいずれも消灯している第３状態とを切り替え、
前記第１検出部は、さらに前記第３状態において、前記第２有機ＥＬ素子からの前記出力を検出し、
前記第２制御部は、前記第１状態における前記第２有機ＥＬ素子からの前記出力と、前記第３状態における前記第２有機ＥＬ素子からの前記出力との差分に基づき、前記第１有機ＥＬ素子に対する前記入力電力を制御する発光装置。
【請求項８】
請求項５〜７のいずれか一項に記載の発光装置において、
前記第２制御部は、前記第１有機ＥＬ素子に対する入力電圧を制御することで前記入力電力を制御する発光装置。
【請求項９】
請求項５〜８のいずれか一項に記載の発光装置において、
前記第１有機ＥＬ素子および前記第２有機ＥＬ素子とは発光色が異なる第３有機ＥＬ素子と、
前記第１状態、かつ前記第３有機ＥＬ素子が消灯している状態において、前記第３有機ＥＬ素子からの前記出力を検出する第２検出部と、をさらに備え、
前記第２制御部は、前記第１検出部の検出結果および前記第２検出部の検出結果に基づいて、前記第１有機ＥＬ素子に対する前記入力電力を制御する発光装置。
【請求項１０】
請求項９に記載の発光装置において、
前記第２制御部は、前記第１検出部の検出値と前記第２検出部の検出値との合計に基づいて、前記第１有機ＥＬ素子に対する前記入力電力を制御する発光装置。
【請求項１１】
請求項５〜８のいずれか一項に記載の発光装置において、
前記第１有機ＥＬ素子および前記第２有機ＥＬ素子とは発光色が異なる第３有機ＥＬ素子をさらに備え、
前記第２有機ＥＬ素子は、前記第１有機ＥＬ素子の隣に位置する発光装置。
【請求項１２】
第１有機ＥＬ素子及び第２有機ＥＬ素子を備える発光装置の制御方法であって、
前記第１有機ＥＬ素子が発光し、かつ前記第２有機ＥＬ素子が消灯している第１状態と、前記第１有機ＥＬ素子および前記第２有機ＥＬ素子がいずれも発光している第２状態とを切り替え、
前記第１状態において、前記第２有機ＥＬ素子からの電気的な出力を検出する発光装置の制御方法。
【発明の詳細な説明】
【技術分野】
【０００１】
本発明は、発光装置および発光装置の制御方法に関する。
【背景技術】
【０００２】
照明装置や表示装置などの発光装置の光源の一つに、有機ＥＬ素子がある。有機ＥＬ素子は、第１電極と第２電極の間に有機層を配置した構成を有している。
【０００３】
有機ＥＬ素子を用いた照明装置や表示装置では、有機層の経時変化等によって出力される光の輝度や色味等が変化する場合がある。
【０００４】
これに対し、例えば特許文献１には、有機ＥＬ素子からなる受光素子によって有機ＥＬ素子からなる発光素子の発光光を検出し、検出された発光量に基づいて、発光素子の駆動を制御する有機ＥＬ表示装置が記載されている。
【先行技術文献】
【特許文献】
【０００５】
【特許文献１】特開２００３−３３０３８３号公報
【発明の概要】
【発明が解決しようとする課題】
【０００６】
しかし、特許文献１のように発光素子と別に受光素子を設ける場合、基板上に発光素子のためのスペースが必要となり、発光装置の小型化が阻害される。
【０００７】
本発明が解決しようとする課題としては、別途の受光素子を設ける必要なく、発光部の劣化をモニタすることが一例として挙げられる。
【課題を解決するための手段】
【０００８】
請求項１に記載の発明は、
第１有機ＥＬ素子及び第２有機ＥＬ素子と、
前記第１有機ＥＬ素子が発光し、かつ前記第２有機ＥＬ素子が消灯している第１状態と、前記第１有機ＥＬ素子および前記第２有機ＥＬ素子がいずれも発光している第２状態とを切り替える第１制御部と、
前記第１状態において、前記第２有機ＥＬ素子からの電気的な出力を検出する第１検出部と、
を備える発光装置である。
【０００９】
請求項１２に記載の発明は、
第１有機ＥＬ素子及び第２有機ＥＬ素子とを備える発光装置の制御方法であって、
前記第１有機ＥＬ素子が発光し、かつ前記第２有機ＥＬ素子が消灯している第１状態と、前記第１有機ＥＬ素子および前記第２有機ＥＬ素子がいずれも発光している第２状態とを切り替え、
前記第１状態において、前記第２有機ＥＬ素子からの電気的な出力を検出する発光装置の制御方法である。
【図面の簡単な説明】
【００１０】
【図１】実施形態に係る発光装置の構成を例示する図である。
【図２】第２有機ＥＬ素子と電圧源および第１検出部との接続構成を例示する図である。
【図３】実施例１に係る発光装置の構成を例示する図である。
【図４】実施例１に係る発光装置が行う処理の流れを例示するフローチャートである。
【図５】実施例１に係る第１有機ＥＬ素子を校正するステップの流れを例示するフローチャートである。
【図６】実施例２に係る第１有機ＥＬ素子を校正するステップの流れを例示するフローチャートである。
【図７】実施例３に係る発光装置の構成を例示する図である。
【図８】実施例３に係る第１有機ＥＬ素子を校正するステップの流れを例示するフローチャートである。
【図９】実施例４に係る発光装置の断面図である。
【図１０】実施例４に係る発光装置の平面図である。
【図１１】図１０から第２電極を取り除いた図である。
【図１２】図１１から有機層及び絶縁膜を取り除いた図である。
【図１３】図１０のＢ−Ｂ断面図である。
【発明を実施するための形態】
【００１１】
以下、本発明の実施の形態について、図面を用いて説明する。尚、すべての図面において、同様な構成要素には同様の符号を付し、適宜説明を省略する。
【００１２】
以下に示す説明において、発光装置１０の第１制御部２１０、第１検出部２２０、第２検出部２２１、第３検出部２２２、および第２制御部２３０は、ハードウエア単位の構成ではなく、機能単位のブロックを示している。発光装置１０の第１制御部２１０、第１検出部２２０、第２検出部２２１、第３検出部２２２、第２制御部２３０は、任意のコンピュータのＣＰＵ、メモリ、メモリにロードされたプログラム、そのプログラムを格納するハードディスクなどの記憶メディア、ネットワーク接続用インタフェースを中心にハードウエアとソフトウエアの任意の組合せによって実現される。そして、その実現方法、装置には様々な変形例がある。
【００１３】
図１は、実施形態に係る発光装置１０の構成を例示する図である。発光装置１０は、第１有機ＥＬ素子２００ａ、第２有機ＥＬ素子２００ｂ、第１制御部２１０、および第１検出部２２０を備える。第１制御部２１０は、第１状態と第２状態とを切り替える。第１状態は、第１有機ＥＬ素子２００ａが発光し、かつ第２有機ＥＬ素子２００ｂが消灯している状態である。第２状態は、第１有機ＥＬ素子２００ａおよび第２有機ＥＬ素子２００ｂがいずれも発光している状態である。そして第１検出部２２０は、第１状態において、第２有機ＥＬ素子２００ｂからの電気的な出力を検出する。以下に詳しく説明する。
【００１４】
発光装置１０は、照明装置、表示装置、またはディスプレイ等である。発光装置１０は、第１有機ＥＬ素子２００ａおよび第２有機ＥＬ素子２００ｂを備える。ここで、第１有機ＥＬ素子２００ａ及び第２有機ＥＬ素子２００ｂは、第１有機ＥＬ素子２００ａ及び第２有機ＥＬ素子２００ｂのうち一方が発した光を他方が受光できる状態にある。本図では、発光装置１０が、複数の第１有機ＥＬ素子２００ａおよび、複数の第２有機ＥＬ素子２００ｂを備える例を示している。発光装置１０において、少なくとも第１有機ＥＬ素子２００ａと第２有機ＥＬ素子２００ｂとの発光を個別に制御することにより、発光装置１０の全体としての発光色の色調を制御することができる。
【００１５】
第１有機ＥＬ素子２００ａおよび第２有機ＥＬ素子２００ｂは、いずれも、第１電極、有機層、第２電極をこの順に積層した構造を有する。たとえば第１有機ＥＬ素子２００ａと第２有機ＥＬ素子２００ｂとは、有機層の構成が異なることにより、第１有機ＥＬ素子２００ａは、第２有機ＥＬ素子２００ｂとは発光色が異なる。なお、発光色が異なる有機ＥＬ素子とは、たとえば発光スペクトルの最大ピークが１００ｎｍ以上互いに異なる有機ＥＬ素子をいう。
【００１６】
第１制御部２１０は、第１有機ＥＬ素子２００ａおよび第２有機ＥＬ素子２００ｂの発光と消灯とを制御する。詳しくは、第１制御部２１０は、発光装置１０の発光モードと、検出モードとを切り替える。発光モードでは、発光装置１０は、第１有機ＥＬ素子２００ａおよび第２有機ＥＬ素子２００ｂがいずれも発光している第２状態となる。発光装置１０が照明装置である場合、発光モードでは発光装置１０は照明を行う。また、発光装置１０がディスプレイである場合、発光モードでは発光装置１０は入力された画像データ等に基づき表示を行う。ただし、発光モードにおいて、発光装置１０は第２状態であり続ける必要は無い。すなわち、発光モードにおいて第１有機ＥＬ素子２００ａおよび第２有機ＥＬ素子２００ｂの少なくとも一方が消灯することがあっても良い。
【００１７】
一方、検出モードでは、発光装置１０は、たとえば第１有機ＥＬ素子２００ａが発光し、かつ第２有機ＥＬ素子２００ｂが消灯している第１状態となる。検出モードでは、発光装置１０に含まれる複数の有機ＥＬ素子のうち、一部のみを発光させる。そして、発光していない有機ＥＬ素子の少なくとも一部を、受光素子として機能させる。そうすることにより、そのとき発光している有機ＥＬ素子の発光状態をモニタすることができる。具体的には、第１状態において、第１有機ＥＬ素子２００ａが発した光の少なくとも一部は第２有機ＥＬ素子２００ｂに入射する。そして、第２有機ＥＬ素子２００ｂには、入射した光の強度に応じて起電力が発生する。
【００１８】
第１検出部２２０は、第１状態において、第２有機ＥＬ素子２００ｂの第１電極と第２電極に接続されており、第２有機ＥＬ素子２００ｂからの電気的な出力を検出する。第１検出部２２０が検出する電気的な出力とは、第１有機ＥＬ素子２００ａが発した光の強度に応じて第２有機ＥＬ素子２００ｂに発生した電圧又は電流である。第１検出部２２０はたとえば、電流計、電圧計、１／Ｖ変換回路、マイクロコンピュータ等の演算処理装置、またはこれらの組み合わせにより実現される。そして第１検出部２２０は第２有機ＥＬ素子２００ｂの第１電極と第２電極の間に発生した起電力に起因する電圧値、または電流値を検出値として出力する。また第１検出部２２０は、第１状態にあるときのみ、第２有機ＥＬ素子２００ｂに接続されてもよい。発光装置１０が複数の第２有機ＥＬ素子２００ｂを備える場合、複数の第２有機ＥＬ素子２００ｂはたとえば互いに電気的に並列接続されており、第１検出部２２０は全ての第２有機ＥＬ素子２００ｂの電気的な出力の総和を検出できる。ただし、第１検出部２２０は、一部の第２有機ＥＬ素子２００ｂの出力のみを検出しても良い。
【００１９】
たとえば発光装置１０は、第１検出部２２０の検出結果により第１有機ＥＬ素子２００ａの駆動電力を高めたり、発光装置１０または発光装置１０の一部の交換を促す信号を出力したりすることができる。
【００２０】
図２は、第２有機ＥＬ素子２００ｂと電圧源２１１および第１検出部２２０との接続構成を例示する図である。発光モードでは、第２有機ＥＬ素子２００ｂのアノードとカソードの間には、電圧源２１１が接続され、電圧が印加されることによって第２有機ＥＬ素子２００ｂが発光する。一方、検出モードでは第２有機ＥＬ素子２００ｂのアノードとカソードの間には、電圧源２１１の代わりに第１検出部２２０が接続される。そうすることにより、第２有機ＥＬ素子２００ｂの電気的な出力が第１検出部２２０により検出される。たとえば第２有機ＥＬ素子２００ｂと電圧源２１１および第１検出部２２０との接続の切り替えを行うスイッチ２１２は、第１制御部２１０によって制御される。なお、発光装置１０が電圧源２１１の代わりに第２有機ＥＬ素子２００ｂに電力を供給する電流源を備える場合には、検出モードにおいて第２有機ＥＬ素子２００ｂには第１検出部２２０と電流源がいずれも接続された状態であってもよい。電流源を用いる場合、そのような状態であっても、第１検出部２２０で第２有機ＥＬ素子２００ｂの電気的な出力を検出できる。
【００２１】
第１制御部２１０が第１状態と第２状態とを切り替えるタイミングとしては、たとえば以下の第１例から第４例が挙げられる。第１例は、発光装置１０の起動直後に検出モードとなる例である。すなわち、第１制御部２１０は発光装置１０が起動した直後に第１状態とし、第１検出部２２０による検出後に発光装置１０を第２状態に切り替える。第２例では、発光装置１０の停止直前に検出モードとなる例である。すなわち第１制御部２１０は、第２状態である発光装置１０に対して停止操作が行われた後、発光装置１０が停止する前に第２状態から第１状態に切り替える。そして、第１検出部２２０による検出が行われた後、発光装置１０が停止する。第３例は、発光モード中の任意のタイミングで検出モードとなる例である。すなわち、発光装置１０が駆動している間、ユーザや外部からの信号入力を受け付けた時に、第１制御部２１０が発光装置１０を第２状態から第１状態に切り替える。そして、第１検出部２２０による検出が行われた後、第１制御部２１０は再度発光装置１０を第２状態に切り替える。第４例は、発光モード中、定期的に検出モードとなる例である。すなわち、発光装置１０が駆動している間、予め定められた時間ごとに第１制御部２１０が発光装置１０を第２状態から第１状態に切り替え、第１検出部２２０による検出が行われる。そして、検出の後、第１制御部２１０は再度発光装置１０を第２状態に切り替える。
【００２２】
本実施形態の発光装置１０によれば、以下の様な発光装置の制御方法が実現される。すなわち、本制御方法は、第１有機ＥＬ素子２００ａ及び第２有機ＥＬ素子２００ｂを備える発光装置の制御方法である。本方法では、第１有機ＥＬ素子２００ａが発光し、かつ第２有機ＥＬ素子２００ｂが消灯している第１状態と、第１有機ＥＬ素子２００ａおよび第２有機ＥＬ素子２００ｂがいずれも発光している第２状態とを切り替える。そして、第１状態において、第２有機ＥＬ素子２００ｂからの電気的な出力を検出する。
【００２３】
本実施形態によれば、発光装置１０が、第１状態において第２有機ＥＬ素子２００ｂからの電気的な出力を検出する第１検出部２２０を備えることにより、別途の受光素子を設ける必要なく、有機ＥＬ素子の劣化をモニタすることができる。
【００２４】
（実施例１）
図３は、実施例１に係る発光装置１０の構成を例示する図である。本実施例に係る発光装置１０は、実施形態に係る発光装置１０と同様の構成を有する。そして、本実施例の発光装置１０は、第２制御部２３０をさらに備える。第２制御部２３０は、第１検出部２２０の検出結果に基づき、第１有機ＥＬ素子２００ａに対する入力電力を制御する。以下に詳しく説明する。
【００２５】
本実施例では、発光装置１０が、第１有機ＥＬ素子２００ａおよび第２有機ＥＬ素子２００ｂとは発光色が異なる第３有機ＥＬ素子２００ｃをさらに備える例について説明する。発光装置１０が、少なくとも第１有機ＥＬ素子２００ａ、第２有機ＥＬ素子２００ｂおよび第３有機ＥＬ素子２００ｃを備える場合、第２有機ＥＬ素子２００ｂは、第１有機ＥＬ素子２００ａの隣に位置することが好ましい。そうすることにより、第１有機ＥＬ素子２００ａの発する光をより多く第２有機ＥＬ素子２００ｂで受光でき、検出精度が向上する。なお、第１有機ＥＬ素子２００ａと第２有機ＥＬ素子２００ｂは接している必要は無く、隣り合う第１有機ＥＬ素子２００ａと第２有機ＥＬ素子２００ｂとの間には、樹脂等の絶縁膜が設けられていてもよいし、空間が介在していても良い。
【００２６】
第１有機ＥＬ素子２００ａの発光色、第２有機ＥＬ素子２００ｂの発光色、および第３有機ＥＬ素子２００ｃの発光色はそれぞれ、たとえば赤、青、緑のうちのいずれかである。ただし、上記した通り、第１有機ＥＬ素子２００ａの発光色、第２有機ＥＬ素子２００ｂの発光色、および第３有機ＥＬ素子２００ｃの発光色は互いに異なる。発光色が赤色である場合、発光スペクトルの最大ピークの波長はたとえば５９０ｎｍ以上６８０ｎｍ以下ある。発光色が緑色である場合、発光スペクトルの最大ピークの波長はたとえば４９０ｎｍ以上５８０ｎｍ以下である。発光色が青色である場合、発光スペクトルの最大ピークの波長はたとえば３９０ｎｍ以上４８０ｎｍ以下である。
【００２７】
本図に示す例において、発光装置１０は、第１有機ＥＬ素子２００ａ、第２有機ＥＬ素子２００ｂ、および第３有機ＥＬ素子２００ｃのうちの二以上に共通して用いられる第１検出部２２０を備えている。この場合、第１検出部２２０は、第１有機ＥＬ素子２００ａ、第２有機ＥＬ素子２００ｂ、および第３有機ＥＬ素子２００ｃの電気的な出力をそれぞれ検出する。第１検出部２２０が出力を検出する有機ＥＬ素子、すなわち接続する有機ＥＬ素子がスイッチ等で切り替えられることにより、各色の有機ＥＬ素子の出力は個別に検出される。ただし、発光装置１０は、第２有機ＥＬ素子２００ｂの電気的な出力を検出する第１検出部２２０と、第３有機ＥＬ素子２００ｃの電気的な出力を検出する第２検出部と、第１有機ＥＬ素子２００ａ電気的な出力を検出する第３検出部とを別々に備えていても良い。
【００２８】
第２制御部２３０は、第１有機ＥＬ素子２００ａの入力電力を制御することにより、第１有機ＥＬ素子２００ａの発光を制御する。たとえば第２制御部２３０は、第１有機ＥＬ素子２００ａに対する入力電圧を制御することで入力電力を制御する。ただし第２制御部２３０は、第１有機ＥＬ素子２００ａに対する入力電流を制御することで入力電力を制御しても良い。発光装置１０が照明装置である場合、発光モードにおいて第２制御部２３０は、たとえば予め設定された初期条件で第１有機ＥＬ素子２００ａに電力を入力するほか、後述する校正ステップ（Ｓ２０）で設定された条件で第１有機ＥＬ素子２００ａに電力を入力する。初期条件や、校正ステップ（Ｓ２０）で設定された条件は、発光装置１０に備えられた記憶部２９０に保持されており、第２制御部２３０がそれを読み出して用いることができる。また、第２制御部２３０は、同様に第２有機ＥＬ素子２００ｂおよび第３有機ＥＬ素子２００ｃの発光を制御することができる。ここで、第２制御部２３０は、第１有機ＥＬ素子２００ａ、第２有機ＥＬ素子２００ｂおよび第３有機ＥＬ素子２００ｃの発光をそれぞれ独立に制御できる。
【００２９】
第１制御部２１０、第１検出部２２０、および第２制御部２３０は同一のマザーボード（回路基板）上に設けられても良い。また、たとえば一つの演算装置（たとえばマイクロコンピュータ）で第１制御部２１０、第１検出部２２０、および第２制御部２３０の機能が実現されてもよい。なお、第１検出部２２０の少なくとも一部（たとえば１／Ｖ変換回路）は有機ＥＬ素子と同じ基板上に設けられていてもよい。
【００３０】
図４は、本実施例に係る発光装置１０が行う処理の流れを例示するフローチャートである。本実施例の発光装置１０の動作において、発光装置１０の起動（Ｓ１０）から発光装置１０の停止（Ｓ５０）までの間に校正ステップ（Ｓ２０）が含まれる。
【００３１】
本図に示す例において、発光装置１０は、たとえば発光装置１０に対するユーザの起動操作または外部からの起動信号の入力により起動する（Ｓ１０）。次いで、第１制御部２１０の制御により校正ステップ（Ｓ２０）が開始される。校正ステップ（Ｓ２０）については詳しく後述する。校正ステップ（Ｓ２０）が終了すると、第１制御部２１０は発光装置１０を発光モードに切り替える（Ｓ３０）。ただし、発光モードにおいて、発光装置１０は第２状態であり続ける必要は無い。すなわち、発光モード第１有機ＥＬ素子２００ａおよび第２有機ＥＬ素子２００ｂの少なくとも一方が消灯することがあっても良い。発光モード中の少なくとも一部の時間、発光装置１０は第２状態となる。その後、たとえば発光装置１０に対するユーザの停止操作または外部からの停止信号の入力（Ｓ４０）があるまで発光モードが維持される。そして、停止操作または停止信号があったとき（Ｓ４０）、発光装置１０が停止する（Ｓ５０）。
【００３２】
ただし、校正ステップ（Ｓ２０）は、停止操作または停止信号があった後（Ｓ４０）、発光装置１０が停止する（Ｓ５０）前におこなわれてもよい。また、発光モード（たとえば第２状態）である発光装置１０に対する、校正ステップ（Ｓ２０）を行う旨のユーザからの操作や外部からの信号入力を受け付けた時に、校正ステップ（Ｓ２０）が行われても良いし、予め定められた時間ごとに校正ステップ（Ｓ２０）が行われても良い。これらの場合、（Ｓ１０）の直後の校正ステップ（Ｓ２０）は必ずしも行われなくても良い。また、発光装置１０の停止操作等が行われていない限り、校正ステップ（Ｓ２０）の後に第１制御部２１０は発光装置１０を発光モードに切り替える。
【００３３】
本図で示す例において、校正ステップ（Ｓ２０）は、第１有機ＥＬ素子２００ａを校正するステップ（Ｓ２１）、第２有機ＥＬ素子２００ｂを校正するステップ（Ｓ２２）、および第３有機ＥＬ素子２００ｃを校正するステップ（Ｓ２３）を含む。ただし、校正ステップ（Ｓ２０）におけるこれらのステップ（Ｓ２１〜Ｓ２３）の順序は特に限定されず、校正ステップ（Ｓ２０）は、これらのステップ（Ｓ２１〜Ｓ２３）のうち少なくともいずれかを含めばよい。また、校正ステップ（Ｓ２０）が行われる度にこれらのステップ（Ｓ２１〜Ｓ２３）のうち一つまたは二つのみが行われ、校正ステップ（Ｓ２０）が行われる度にこれらのステップ（Ｓ２１〜Ｓ２３）のうち異なるステップが行われても良い。
【００３４】
図５は、本実施例に係る第１有機ＥＬ素子２００ａを校正するステップ（Ｓ２１）の流れを例示するフローチャートである。第１有機ＥＬ素子２００ａを校正するステップ（Ｓ２１）において、まず、第１制御部２１０は、発光装置１０を、第１有機ＥＬ素子２００ａが発光し、かつ第２有機ＥＬ素子２００ｂが消灯している状態、すなわち第１状態とする（Ｓ２１１）。さらに、ここでは第３有機ＥＬ素子２００ｃも消灯させ、第１有機ＥＬ素子２００ａのみが発光している状態とする。
【００３５】
そして、第１状態において第１検出部２２０は、第２有機ＥＬ素子２００ｂの電気的な出力を検出する（Ｓ２１２）。第１検出部２２０が第２有機ＥＬ素子２００ｂの電気的な出力を検出する方法は、実施形態で説明した通りである。
【００３６】
上記した通り、第２制御部２３０は、第１検出部２２０の検出結果に基づき、第１有機ＥＬ素子２００ａに対する入力電力を制御する。具体的には、たとえば、第２制御部２３０は、第１状態での第１検出部２２０の検出値が予め定められた基準値より小さいか否かを判定する（Ｓ２１３）。そして、検出値が基準値より小さい場合に（Ｓ２１３のＹ）、第１有機ＥＬ素子２００ａに対する入力電力を上げる（Ｓ２１４）。詳しくは、第２制御部２３０は、第１有機ＥＬ素子２００ａへの入力電力を、第１検出部２２０が検出した時に第１有機ＥＬ素子２００ａに入力していた電力よりも所定の大きさだけ高くする。なお、基準値や、所定の大きさは、事前の調査や実験に基づいて予め定め、記憶部２９０に保持させておくことができる。そして、第２制御部２３０は、記憶部２９０からそれらを読み出して判定に用いることができる。入力電力を上げた後に、再度第２有機ＥＬ素子２００ｂの出力を検出する（Ｓ２１２）。
【００３７】
一方、検出値が基準値以上であった場合（Ｓ２１３のＮ）、その検出値が検出されたときに第１有機ＥＬ素子２００ａに入力されていた入力電力を、校正された入力電力として設定し、第１有機ＥＬ素子２００ａを校正するステップ（Ｓ２１）を終了する。次の発光モード時において、第２制御部２３０は、設定された入力電力で、第１有機ＥＬ素子２００ａを発光させる。
【００３８】
第２有機ＥＬ素子２００ｂを校正するステップ（Ｓ２２）は、第１有機ＥＬ素子２００ａを校正するステップ（Ｓ２１）の第１有機ＥＬ素子２００ａを第２有機ＥＬ素子２００ｂに置き換え、第２有機ＥＬ素子２００ｂを第３有機ＥＬ素子２００ｃまたは第１有機ＥＬ素子２００ａに置き換えた処理に相当する。また、第３有機ＥＬ素子２００ｃを校正するステップ（Ｓ２３）は、第１有機ＥＬ素子２００ａを校正するステップ（Ｓ２１）の第１有機ＥＬ素子２００ａを第３有機ＥＬ素子２００ｃに置き換えた処理、または、さらに第２有機ＥＬ素子２００ｂを第１有機ＥＬ素子２００ａに置き換えた処理に相当する。
【００３９】
なお、発光装置１０が互いに異なる色の発光をする三種の有機ＥＬ素子、すなわち第１有機ＥＬ素子２００ａ、第２有機ＥＬ素子２００ｂ、および第３有機ＥＬ素子２００ｃを含む例について説明したが、発光装置１０は、第１有機ＥＬ素子２００ａおよび第２有機ＥＬ素子２００ｂのみを備えても良い。また、発光装置１０は、互いに異なる色の発光をする四種以上の有機ＥＬ素子を備えても良い。
【００４０】
本実施例によれば、発光装置１０が、第１状態において第２有機ＥＬ素子２００ｂからの電気的な出力を検出する第１検出部２２０を備えることにより、別途の受光素子を設ける必要なく、有機ＥＬ素子の劣化をモニタすることができる。
【００４１】
くわえて、第２制御部２３０は、第１検出部２２０の検出結果に基づき、第１有機ＥＬ素子２００ａに対する入力電力を制御する。したがって、有機ＥＬ素子の所定の発光強度を維持できる。
【００４２】
（実施例２）
図６は、実施例２に係る第１有機ＥＬ素子２００ａを校正するステップ（Ｓ２１）の流れを例示するフローチャートである。本実施例に係る発光装置１０は、第１有機ＥＬ素子２００ａを校正するステップ（Ｓ２１）、第２有機ＥＬ素子２００ｂを校正するステップ（Ｓ２２）および第３有機ＥＬ素子２００ｃを校正するステップ（Ｓ２３）での処理内容を除いて、実施例１に係る発光装置１０と同じである。
【００４３】
本実施例の発光装置１０において、第１制御部２１０は、第１状態と、第２状態と、第３状態とを切り替える。第３状態は、第１有機ＥＬ素子２００ａおよび第２有機ＥＬ素子２００ｂがいずれも消灯している状態である。第１検出部２２０は、さらに第３状態において、第２有機ＥＬ素子２００ｂからの電気的な出力を検出する。そして、第２制御部２３０は、第１状態における第２有機ＥＬ素子２００ｂからの出力（第１出力）と、第３状態における第２有機ＥＬ素子２００ｂからの出力（第２出力）との差分に基づき、第１有機ＥＬ素子２００ａに対する入力電力を制御する。以下に詳しく説明する。
【００４４】
本実施例では、第１有機ＥＬ素子２００ａが消灯した状態における第１出力と、第１有機ＥＬ素子２００ａが発光した状態における第２出力との差分に基づき、第２制御部２３０が第１有機ＥＬ素子２００ａに対する入力電力を制御する。そうすることで、第１有機ＥＬ素子２００ａから発せられた光以外の外光の影響を避けて第１有機ＥＬ素子２００ａの発光を検出することができる。
【００４５】
本実施例の第１有機ＥＬ素子２００ａを校正するステップ（Ｓ２１）では、まず、第１制御部２１０が発光装置１０を第３状態に切り替える。具体的にはたとえば、第１制御部２１０は、全ての有機ＥＬ素子を消灯させる（Ｓ２１５）。そして、第１検出部２２０は、その状態での第２有機ＥＬ素子２００ｂの電気的な第１出力を検出する（Ｓ２１６）。第１制御部２１０は発光装置１０を第３状態に切り替えてから所定の検出時間が経過したときに、発光装置１０を第１状態に切り替える（Ｓ２１１）。すなわち、第１制御部２１０は第１有機ＥＬ素子２００ａのみを発光させる。そして、第１検出部２２０は、その状態での第２有機ＥＬ素子２００ｂの電気的な第２出力を検出する（Ｓ２１２）。
【００４６】
第１出力の検出値および第２出力の検出値は、いずれも第２制御部２３０に入力される。そして、第２制御部２３０は、第２出力の検出値から第１出力の検出値を差し引き、差分を算出する（Ｓ２１７）。また、第２制御部２３０は、算出された差分が、基準値よりも小さいか否かを判定する（Ｓ２１３）。差分が基準値より小さい場合に（Ｓ２１３のＹ）、第１有機ＥＬ素子２００ａに対する入力電力を上げる（Ｓ２１４）。入力電力を挙げる方法は、実施例１で説明した方法と同様である。入力電力を上げた後に、第１制御部２１０は再度発光装置１０を第３状態にする（Ｓ２１５）一方、差分が基準値以上であった場合（Ｓ２１３のＮ）、その第２出力が検出されたときに第１有機ＥＬ素子２００ａに入力されていた入力電力を、校正された入力電力として設定し、第１有機ＥＬ素子２００ａを校正するステップ（Ｓ２１）を終了する。
【００４７】
なお、以上では、第１出力が検出された後に第２出力が検出される例を説明したが、第２出力が検出された後に第１出力が検出されてもよい。すなわち、ステップＳ２１１およびステップＳ２１２が行われた後にステップＳ２１５およびステップＳ２１６が行われても良い。
【００４８】
本実施例の第２有機ＥＬ素子２００ｂを校正するステップ（Ｓ２２）は、第１有機ＥＬ素子２００ａを校正するステップ（Ｓ２１）の第１有機ＥＬ素子２００ａを第２有機ＥＬ素子２００ｂに置き換え、第２有機ＥＬ素子２００ｂを第３有機ＥＬ素子２００ｃまたは第１有機ＥＬ素子２００ａに置き換えた処理に相当する。また、第３有機ＥＬ素子２００ｃを校正するステップ（Ｓ２３）は、第１有機ＥＬ素子２００ａを校正するステップ（Ｓ２１）の第１有機ＥＬ素子２００ａを第３有機ＥＬ素子２００ｃに置き換えた処理、またはさらに第２有機ＥＬ素子２００ｂを第１有機ＥＬ素子２００ａに置き換えた処理に相当する。
【００４９】
本実施例によれば、発光装置１０が、第１状態において第２有機ＥＬ素子２００ｂからの電気的な出力を検出する第１検出部２２０を備えることにより、別途の受光素子を設ける必要なく、有機ＥＬ素子の劣化をモニタすることができる。
【００５０】
くわえて、本実施例においても実施例１と同様、第２制御部２３０は、第１検出部２２０の検出結果に基づき、第１有機ＥＬ素子２００ａに対する入力電力を制御する。したがって、有機ＥＬ素子の所定の発光強度を維持できる。
【００５１】
また、第２制御部２３０は、第１状態における第２有機ＥＬ素子２００ｂからの出力と、第３状態における第２有機ＥＬ素子２００ｂからの出力との差分に基づき、第１有機ＥＬ素子２００ａに対する入力電力を制御する。したがって、外光の影響を避けて第１有機ＥＬ素子２００ａの発光を高精度で検出することができる。
【００５２】
（実施例３）
図７は、実施例３に係る発光装置１０の構成を例示する図である。また、図８は、実施例３に係る第１有機ＥＬ素子２００ａを校正するステップ（Ｓ２１）の流れを例示するフローチャートである。本実施例に係る発光装置１０は、以下に説明する点を除いて実施例１および実施例２の少なくともいずれかに係る発光装置１０と同じである。
【００５３】
本実施例の発光装置１０は、第３有機ＥＬ素子２００ｃおよび第２検出部２２１を備える。第３有機ＥＬ素子２００ｃは、第１有機ＥＬ素子２００ａおよび第２有機ＥＬ素子２００ｂとは発光色が異なる。第２検出部２２１は、第１状態であり、かつ、第３有機ＥＬ素子２００ｃが消灯している状態において、第３有機ＥＬ素子２００ｃからの電気的な出力を検出する。第２制御部２３０は、第１検出部２２０の検出結果および第２検出部の検出結果に基づいて、第１有機ＥＬ素子２００ａに対する入力電力を制御する。以下に詳しく説明する。
【００５４】
本実施例において発光装置１０は、第２有機ＥＬ素子２００ｂの電気的な出力を検出する第１検出部２２０と、第３有機ＥＬ素子２００ｃの電気的な出力を検出する第２検出部２２１と、第１有機ＥＬ素子２００ａの電気的な出力を検出する第３検出部２２２とを別々に備えている。したがって、複数色の有機ＥＬ素子の電気的な出力を、同時に測定することができる。第２検出部２２１および第３検出部２２２はそれぞれ、実施形態で説明した第１検出部２２０と同様の構成を有する。また、第２検出部２２１と第３有機ＥＬ素子２００ｃとの関係、および第３検出部２２２と第１有機ＥＬ素子２００ａとの関係は、第１検出部２２０と第２有機ＥＬ素子２００ｂとの関係と同じである。
【００５５】
本実施例では、第２制御部２３０は、第１検出部２２０の検出結果および第２検出部の検出結果に基づいて、第１有機ＥＬ素子２００ａに対する入力電力を制御する。したがって、第１有機ＥＬ素子２００ａが発する光をより多く検出し、検出精度を高めることができる。以下では、第２制御部２３０が、第１検出部２２０の検出値と第２検出部２２１の検出値との合計に基づいて、第１有機ＥＬ素子２００ａに対する入力電力を制御する例を説明する。
【００５６】
本実施例の発光装置１０が行う処理は、第１有機ＥＬ素子２００ａを校正するステップ（Ｓ２１）、第２有機ＥＬ素子２００ｂを校正するステップ（Ｓ２２）および第３有機ＥＬ素子２００ｃを校正するステップ（Ｓ２３）での処理内容を除いて、実施例１に説明した処理の流れと同じである。
【００５７】
本実施例の第１有機ＥＬ素子２００ａを校正するステップ（Ｓ２１）では、まず、第１制御部２１０が発光装置１０を第１状態に切り替える。具体的にはたとえば、第１制御部２１０は、第１有機ＥＬ素子２００ａを発光させ、他の色の有機ＥＬ素子、すなわち第２有機ＥＬ素子２００ｂおよび第３有機ＥＬ素子２００ｃを消灯させる（Ｓ２１１）。そして、第１検出部２２０は、その状態での第２有機ＥＬ素子２００ｂの電気的な出力を検出し、同時に第２検出部２２１は第３有機ＥＬ素子２００ｃの電気的な出力を検出する（Ｓ２１８）。こうして、第１有機ＥＬ素子２００ａが発した光のうち、第２有機ＥＬ素子２００ｂに入射した光と第３有機ＥＬ素子２００ｃに入射した光の両方を検出することができる。
【００５８】
第１検出部２２０の検出値および第２検出部２２１の検出値は、いずれも第２制御部２３０に入力される。そして、第２制御部２３０は、第１検出部２２０の検出値と第２検出部２２１の検出値の合計を算出する（Ｓ２１９）。また、第２制御部２３０は、算出された合計が、基準値よりも小さいか否かを判定する（Ｓ２１３）。合計が基準値より小さい場合に（Ｓ２１３のＹ）、第１有機ＥＬ素子２００ａに対する入力電力を上げる（Ｓ２１４）。入力電力を挙げる方法は、実施例１で説明した方法と同様である。入力電力を上げた後に、第１検出部２２０および第２検出部２２１は再度第１有機ＥＬ素子２００ａの出力を検出する（Ｓ２１８）一方、合計が基準値以上であった場合（Ｓ２１３のＮ）、それらの出力が検出されたときに第１有機ＥＬ素子２００ａに入力されていた入力電力を、校正された入力電力として設定し、第１有機ＥＬ素子２００ａを校正するステップ（Ｓ２１）を終了する。
【００５９】
なお、以上では、実施例１に対応する例について説明したが、実施例２に対応する構成とすることもできる。すなわち、第３状態での第１検出部２２０の出力と第１状態での第１検出部２２０の出力との差分、および、第３状態での第２検出部２２１の出力と第１状態での第２検出部２２１の出力との差分の合計に基づき、第２制御部２３０が第１有機ＥＬ素子２００ａの制御を行っても良い。そうすれば、さらに有機ＥＬ素子の発光の検出精度を高めることができる。
【００６０】
本実施例の第２有機ＥＬ素子２００ｂを校正するステップ（Ｓ２２）は、第１有機ＥＬ素子２００ａを校正するステップ（Ｓ２１）の第１有機ＥＬ素子２００ａを第２有機ＥＬ素子２００ｂに置き換え、第２有機ＥＬ素子２００ｂを第３有機ＥＬ素子２００ｃまたは第１有機ＥＬ素子２００ａに置き換えた処理に相当する。また、第３有機ＥＬ素子２００ｃを校正するステップ（Ｓ２３）は、第１有機ＥＬ素子２００ａを校正するステップ（Ｓ２１）の第１有機ＥＬ素子２００ａを第３有機ＥＬ素子２００ｃに置き換えた処理、またはさらに第２有機ＥＬ素子２００ｂを第１有機ＥＬ素子２００ａに置き換えた処理に相当する。
【００６１】
本実施例によれば、発光装置１０が、第１状態において第２有機ＥＬ素子２００ｂからの電気的な出力を検出する第１検出部２２０を備えることにより、別途の受光素子を設ける必要なく、有機ＥＬ素子の劣化をモニタすることができる。
【００６２】
くわえて、本実施例においても実施例１と同様、第２制御部２３０は、第１検出部２２０の検出結果に基づき、第１有機ＥＬ素子２００ａに対する入力電力を制御する。したがって、有機ＥＬ素子の所定の発光強度を維持できる。
【００６３】
また、本実施例において、第２制御部２３０は、第１検出部２２０の検出結果および第２検出部の検出結果に基づいて、第１有機ＥＬ素子２００ａに対する入力電力を制御する。したがって、第１有機ＥＬ素子２００ａの発した光のうち、第２有機ＥＬ素子２００ｂに入射した光と第３有機ＥＬ素子２００ｃに入射した光の両方を検出することができ、精度良く第１有機ＥＬ素子２００ａの発光を検出できる。
【００６４】
（実施例４）
図９は、実施例４に係る発光装置１０の断面図であり、図１０は、本実施例に係る発光装置１０の平面図である。図９は、図１０のＡ−Ａ断面に相当する。図１１は図１０から第２電極１３０を取り除いた図である。図１２は図１１から有機層１２０及び絶縁膜１５０を取り除いた図である。図１３は、図１０のＢ−Ｂ断面図である。本実施例に係る発光装置１０は、実施形態および実施例１〜３の少なくともいずれかの構成を有する。
【００６５】
本実施例に係る発光装置１０は照明装置であり、基板１００のほぼ全面に発光領域が形成されている。この発光領域には、第１発光部１４０ａ、第２発光部１４０ｂ、及び第３発光部１４０ｃが繰り返し形成されている。第１有機ＥＬ素子２００ａ、第２有機ＥＬ素子２００ｂおよび第３有機ＥＬ素子２００ｃは、それぞれ第１電極１１０、有機層１２０、および第２電極１３０を含んで構成されている。そして、たとえば第１発光部１４０ａは第１有機ＥＬ素子２００ａの発光部であり、第２発光部１４０ｂは第２有機ＥＬ素子２００ｂの発光部であり、第３発光部１４０ｃは第３有機ＥＬ素子２００ｃの発光部である。図１０〜図１３に示す例において、第１発光部１４０ａ、第２発光部１４０ｂ、及び第３発光部１４０ｃは、いずれもストライプ状（線状）に延在している。
【００６６】
発光装置１０は、基板１００および複数の発光部１４０を備える。なお、以下では第１発光部１４０ａ、第２発光部１４０ｂ、および第３発光部１４０ｃを総称して発光部１４０とも呼ぶ。発光部１４０は発光装置１０の少なくとも一方の面に形成されている。発光部１４０は、第１電極１１０、有機層１２０、および第２電極１３０が積層された構造を有する。有機層１２０は、第１電極１１０と第２電極１３０との間に位置する。
【００６７】
基板１００は、例えばガラス基板や樹脂基板などの透光性を有する基板である。基板１００は可撓性を有していてもよい。可撓性を有している場合、基板１００の厚さは、例えば１０μｍ以上１０００μｍ以下である。基板１００は、例えば矩形などの多角形や円形である。基板１００が樹脂基板である場合、基板１００は、例えばＰＥＮ（ポリエチレンナフタレート）、ＰＥＳ（ポリエーテルサルホン）、ＰＥＴ（ポリエチレンテレフタラート）、又はポリイミドを用いて形成されている。また、基板１００が樹脂基板である場合、水分が基板１００を透過することを抑制するために、基板１００の少なくとも一面（好ましくは両面）に、ＳｉＮｘやＳｉＯＮなどの無機バリア膜が形成されているのが好ましい。
【００６８】
第１電極１１０は、透光性を有する透明電極である。透明電極を構成する透明導電材料は、金属を含む材料、例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＩＷＺＯ（Ｉｎｄｉｕｍ  Ｔｕｎｇｓｔｅｎ  Ｚｉｎｃ  Ｏｘｉｄｅ）、ＺｎＯ（Ｚｉｎｃ  Ｏｘｉｄｅ）等の金属酸化物である。第１電極１１０の厚さは、例えば１０ｎｍ以上５００ｎｍ以下である。第１電極１１０は、例えばスパッタリング法又は蒸着法を用いて形成される。なお、第１電極１１０は、カーボンナノチューブ、又はＰＥＤＯＴ／ＰＳＳなどの導電性有機材料であってもよい。第１電極１１０はたとえばアノードである。
【００６９】
第２電極１３０は、例えば、Ａｌ、Ａｕ、Ａｇ、Ｐｔ、Ｍｇ、Ｓｎ、Ｚｎ、及びＩｎからなる第１群の中から選択される金属又はこの第１群から選択される金属の合金からなる金属層を含んでいる。この場合、第２電極１３０は遮光性を有している。第２電極１３０の厚さは、例えば１０ｎｍ以上５００ｎｍ以下である。ただし、第２電極１３０は、第１電極１１０の材料として例示した材料を用いて形成されていてもよい。第２電極１３０は、例えばスパッタリング法又は蒸着法を用いて形成される。第２電極１３０はたとえばカソードである。
【００７０】
なお、上記した第１電極１１０及び第２電極１３０の材料は、基板１００を光が透過する場合、すなわち発光装置１０からの発光が基板１００を透過して行われる場合（すなわちボトムエミッション型）の例である。他の場合として、基板１００とは逆側を光が透過する場合がある。すなわち、発光装置１０からの発光が基板１００を透過しないで行われる場合（トップエミッション型）である。トップエミッション型では、逆積型と、順積型との２種類の積層構造のいずれかを採用できる。逆積型では、第１電極１１０の材料と第２電極１３０の材料はボトムエミッション型と逆になる。すなわち第１電極１１０の材料には上記した第２電極１３０の材料が用いられ、第２電極１３０の材料には上記した第１電極１１０の材料が用いられる。他方の順積型では、上記した第２電極１３０の材料の上に第１電極１１０の材料を形成し、更にその上に有機層１２０、さらにその上に薄く成膜した第２電極１３０を形成することで、基板１００とは逆側から光を取出す構造である。なお、薄く成膜する材料は、例えば第２電極１３０の材料として例示した材料やＭｇＡｇ合金などである。ＡｌやＡｇで第２電極１３０を形成する場合、第２電極１３０の厚さは、３０ｎｍ以下であるのが好ましい。本実施例にかかる発光装置１０は、ボトムエミッション型、及び上記した２種類のトップエミッション型のいずれの構造であってもよい。
【００７１】
図９〜図１３では、ボトムエミッション型の発光装置１０の例を示している。本例では、第１電極１１０は透光性を有する。また、基板１００は第１電極１１０を介して第２電極１３０と対向する。そして、第２電極１３０は遮光性を有する。
【００７２】
有機層１２０は発光層を有している。第１発光部１４０ａは第１有機層１２０ａを含み、第２発光部１４０ｂは第２有機層１２０ｂを含み、第３発光部１４０ｃは第３有機層１２０ｃを含む。第１有機層１２０ａは、例えば、正孔注入層１２１、第１発光層１２３ａ、及び電子注入層１２５をこの順に積層させた構成を有している。図９に示す例において、正孔注入層１２１と第１発光層１２３ａとの間にはさらに正孔輸送層１２２が形成されており、第１発光層１２３ａと電子注入層１２５との間には電子輸送層１２４がさらに形成されている。ただし、第１有機層１２０ａは正孔輸送層１２２および電子輸送層１２４の少なくともいずれかを有していなくても良い。第２有機層１２０ｂは、第１発光層１２３ａの代わりに第２発光層１２３ｂを含む点を除いて第１有機層１２０ａと同じである。また、第３有機層１２０ｃは、第１発光層１２３ａの代わりに第３発光層１２３ｃを含む点を除いて第１有機層１２０ａと同じである。すなわち、第１発光部１４０ａ、第２発光部１４０ｂ、および第３発光部１４０ｃは、少なくとも発光層を構成する材料が互いに異なる。
【００７３】
有機層１２０は蒸着法で形成されてもよい。また、有機層１２０のうち少なくとも一つの層、例えば第１電極１１０と接触する層は、インクジェット法、印刷法、又はスプレー法などの塗布法によって形成されてもよい。なお、この場合、有機層１２０の残りの層は、たとえば蒸着法によって形成されていてもよい。また、有機層１２０のすべての層が、塗布法を用いて形成されていてもよい。
【００７４】
第１電極１１０の縁は、絶縁膜１５０によって覆われている。絶縁膜１５０は例えばポリイミドなどの感光性の樹脂材料によって形成されており、第１電極１１０のうち発光部１４０となる部分を囲んでいる。すなわち、絶縁膜１５０は、発光部１４０を画定している。本図に示す例において、第２電極１３０の幅方向の縁は、絶縁膜１５０上に位置している。言い換えると、基板１００に垂直な方向から見た場合において、絶縁膜１５０の一部は第２電極１３０からはみ出ている。また本図に示す例において、有機層１２０は絶縁膜１５０の開口の内側にのみ形成されているが、有機層１２０は、絶縁膜１５０の上面にも形成されていてもよい。また、有機層１２０は隣り合う発光部１４０の間で分断されている。ただし、有機層１２０を構成する一部の層が、複数の発光部１４０にわたって連続して設けられていてもよい。
【００７５】
第１発光部１４０ａ、第２発光部１４０ｂ、及び第３発光部１４０ｃは、いずれも、第１電極１１０、第１端子１１２、第２電極１３０、及び第２端子１３２を有している。本実施例において、発光装置１０は、調光可能な照明装置である。このため、第１電極１１０、第１端子１１２、第２電極１３０、及び第２端子１３２は、発光部毎に独立している。ただし、第２端子１３２がすべての発光部に対して共通の端子であってもよい。そして、その場合、第２電極１３０も全ての発光部に共通の電極（いわゆるベタ電極）であってもよい。第２端子１３２および第２電極１３０が発光部１４０ごとに設けられている場合、第１端子１１２はすべての発光部１４０に対して共通の端子であってもよい。そして、その場合、第１電極１１０も全ての発光部１４０に共通の電極（いわゆるベタ電極）であってもよい。
【００７６】
第１端子１１２及び第２端子１３２は、第１電極１１０と同じ材料を用いて形成された層を有している。この層は、第１電極１１０と同一の工程で形成される。また、第１端子１１２のうち第１電極１１０と同様の材料で形成されている層は、第１電極１１０と一体になっている。一方、第２端子１３２は第１電極１１０から分離している。
【００７７】
また、第１端子１１２及び第２端子１３２は、第１電極１１０を挟んで互いに逆側に位置している。本図に示す例では基板１００は矩形である。そして、第１端子１１２は基板１００の一辺に沿って形成されており、第２端子１３２は、基板１００の４辺のうち第１端子１１２とは逆側の辺に沿って形成されている。
【００７８】
第２制御部２３０、第１制御部２１０、第２検出部２２１、第１検出部２２０、および第３検出部２２２はそれぞれ、第１端子１１２および第２端子１３２に電気的に接続されている。具体的には、第１端子１１２および第２端子１３２には、第２制御部２３０、第１制御部２１０、第２検出部２２１、第１検出部２２０、および第３検出部２２２を校正する回路や演算処理装置の端子が接続されている。基板１００上には、たとえば第１検出部２２０、第２検出部２２１、第３検出部２２２等を構成する回路がさらに形成されていても良い。
【００７９】
絶縁膜１５０は、第１の開口１５２ａ、第２の開口１５２ｂ、及び第３の開口１５２ｃを有している。第１の開口１５２ａは第１発光部１４０ａが形成されるべき領域に位置しており、第２の開口１５２ｂは第２発光部１４０ｂが形成されるべき領域に位置しており、第３の開口１５２ｃは第３発光部１４０ｃが形成されるべき領域に位置している。そして、第２電極１３０の一部は、絶縁膜１５０をまたいで第２端子１３２の上まで延在している。
【００８０】
本実施例に係る発光装置１０の製造方法について以下に説明する。まず、基板１００の第１領域１００ａ、第２領域１００ｂ、および第３領域１００ｃに、第１電極１１０を、例えば蒸着法又はスパッタリング法を用いて形成する。次いで、基板１００の上に絶縁膜１５０、第１の開口１５２ａ、第２の開口１５２ｂ、および第３の開口１５２ｃを形成する。次いで、基板１００の第１領域１００ａ、第２領域１００ｂ、および第３領域１００ｃに、正孔注入材料を、例えばスピンコーティング法を用いて塗布し、その後乾燥させる。これにより、第１発光部１４０ａの正孔注入層１２１、第２発光部１４０ｂの正孔注入層１２１、および第３発光部１４０ｃの正孔注入層１２１が形成される。
【００８１】
次いで、基板１００の第１領域１００ａ、第２領域１００ｂ、および第３領域１００ｃに、正孔輸送材料を、例えばスピンコーティング法を用いて塗布し、その後乾燥させる。これにより、第１発光部１４０ａの正孔輸送層１２２、第２発光部１４０ｂの正孔輸送層１２２、および第３発光部１４０ｃの正孔輸送層１２２が形成される。
【００８２】
次いで、基板１００の第１領域１００ａに第１発光層１２３ａとなる発光材料を、第２領域１００ｂに第２発光層１２３ｂとなる発光材料を、第３領域１００ｃに第３発光層１２３ｃとなる発光材料を例えばインクジェット法を用いて塗布する。これにより第１発光部１４０ａの第１発光層１２３ａ、第２発光部１４０ｂの第２発光層１２３ｂ、および第３発光部１４０ｃの第３発光層１２３ｃが形成される。ただし、第１発光層１２３ａ、第２発光層１２３ｂ、および第３発光層１２３ｃのうち少なくともいずれかが真空蒸着法で形成されても良い。その場合、真空蒸着法で形成される発光層は、全ての発光部１４０にわたって形成されても良い。すなわち、発光層は、複数層からなっていても良い。
【００８３】
その後、第１有機層１２０ａの電子輸送層１２４、第２有機層１２０ｂの電子輸送層１２４、及び第３有機層１２０ｃの電子輸送層１２４を、インクジェット法を用いて形成する。次いで、第１有機層１２０ａの電子注入層１２５、第２有機層１２０ｂの電子注入層１２５、及び第３有機層１２０ｃの電子注入層１２５を、インクジェット法を用いて形成する。このようにして、第１有機層１２０ａ、第２有機層１２０ｂ、及び第３有機層１２０ｃが形成される。ただし、正孔注入層１２１，正孔輸送層１２２，電子輸送層１２４，および電子注入層１２５のうち少なくともいずれかが真空蒸着法で形成されても良い。その場合、マスクを用いて所望のパターンに成膜できるほか、複数の発光部１４０にわたって連続して層が形成されても良い。
【００８４】
そして、第１有機層１２０ａ、第２有機層１２０ｂ、及び第３有機層１２０ｃのそれぞれの上に、第２電極１３０を形成する。第２電極１３０は、例えば蒸着法又はスパッタリング法を用いて形成される。さらに、発光部１４０を封止部材（不図示）で覆っても良い。
【００８５】
なお、発光装置１０はディスプレイであってもよい。発光装置１０がディスプレイである場合、複数の有機ＥＬ素子は基板１００上に画素ごとに区画されて設けられている。この場合であっても、第２有機ＥＬ素子２００ｂは第１有機ＥＬ素子２００ａの隣に位置することが好ましい。
【００８６】
発光装置１０がディスプレイである場合、発光装置１０が画像等を表示する際には、各画素を構成する有機ＥＬ素子への入力電力は個別に制御される。そして発光モードにおいて各有機ＥＬ素子への入力電力Ｗｉｎは、たとえば基準となる入力電力Ｗｒと倍率Ｇを用いてＷｉｎ＝Ｇ×Ｗｒで表される。Ｗｒは有機ＥＬ素子ごと、または、有機ＥＬ素子の色ごとに定められている。倍率Ｇは、表示しようとする画像について、その画素の有機ＥＬ素子が発するべき光の強度に比例している。倍率Ｇは、表示しようとする画像データに基づいて定められる。発光装置１０が第２制御部２３０を備える場合、第２制御部２３０はたとえば第１検出部２２０の検出結果に基づいて第１有機ＥＬ素子２００ａのＷｒの大きさを制御する。
【００８７】
本実施例においても、発光装置１０が、第１状態において第２有機ＥＬ素子２００ｂからの電気的な出力を検出する第１検出部２２０を備えることにより、別途の受光素子を設ける必要なく、有機ＥＬ素子の劣化をモニタすることができる。
【００８８】
以上、図面を参照して実施形態及び実施例について述べたが、これらは本発明の例示であり、上記以外の様々な構成を採用することもできる。たとえば、上述の説明で用いたシーケンス図やフローチャートでは、複数の工程（処理）が順番に記載されているが、各実施例で実行される工程の実行順序は、その記載の順番に制限されない。各実施例では、図示される工程の順番を内容的に支障のない範囲で変更することができる。また、上述の各実施形態および各実施例は、内容が相反しない範囲で組み合わせることができる。
【符号の説明】
【００８９】
１０  発光装置
１００  基板
１１０  第１電極
１１２  第１端子
１２０  有機層
１３０  第２電極
１３２  第２端子
１４０  発光部
１５０  絶縁膜
２００ａ  第１有機ＥＬ素子
２００ｂ  第２有機ＥＬ素子
２００ｃ  第３有機ＥＬ素子
２１０  第１制御部
２２０  第１検出部
２２１  第２検出部
２２２  第３検出部
２３０  第２制御部
２９０  記憶部
【図１】
2018040895.tif 000003
【図２】
2018040895.tif 000004
【図３】
2018040895.tif 000005
【図４】
2018040895.tif 000006
【図５】
2018040895.tif 000007
【図６】
2018040895.tif 000008
【図７】
2018040895.tif 000009
【図８】
2018040895.tif 000010
【図９】
2018040895.tif 000011
【図１０】
2018040895.tif 000012
【図１１】
2018040895.tif 000013
【図１２】
2018040895.tif 000014
【図１３】
2018040895.tif 000015